(57)【要約】【課題】生ごみに水を加えることなく減量処理する。【解決手段】生ごみを投入する投入部１と、投入された生ごみを外刃２５の内側で高速回転するディスク２３とこれに取り付けた自由に回転するハンマ２４とによって粉砕する粉砕部２と、粉砕された生ごみを斜め上方向に移送する移送部３と、その終端において絞り込みながら生ごみを排出する排出部４とから生ごみ減量装置を構成する。【選択図】図１
2007196084.tif 000002
【特許請求の範囲】
【請求項１】
生ごみを投入する投入部（１）と、投入された生ごみを粉砕する粉砕部（２）と、粉砕された生ごみを斜め上方向に移送する移送部（３）と、この移送部（３）の終端において絞り込みながら生ごみを排出する排出部（４）とからなる生ごみ減量装置。
【請求項２】
粉砕部（２）が、略円形の開口の縁部に複数の切欠きを有する外刃（２５）と、この外刃（２５）の内側で高速回転するディスク（２３）と、このディスク（２３）に取り付けられた自由に回転するハンマ（２４）とからなる請求項１に記載の生ごみ減量装置。
【請求項３】
移送部（３）が、外筒（３１）と、この外筒（３１）の内側で回転し、スパイラルリブ（３３）を有する回転軸（３２）とからなる請求項１または２に記載の生ごみ減量装置。
【請求項４】
排出部（４）が、前記移送部（３）の終端で前記回転軸（３２）に取り付けられたコーン（４２）と、その外側にかぶせられるカップ（４１）と、これらコーン（４２）とカップ（４１）との隙間をふさぐふさぎ板（４３）と、このふさぎ板（４３）を前記のコーン（４２）とカップ（４１）との隙間に向けて押し付ける押し付けばね（４４）とからなる請求項１ないし３のいずれかに記載の生ごみ減量装置。
【発明の詳細な説明】
【技術分野】
【０００１】
本発明は、生ごみを粉砕し、絞り込んで減量し、飼料等の資源として有効活用するための生ごみ減量装置に関する。
【背景技術】
【０００２】
家庭や食堂、病院等で日常発生する生ごみは、通常自治体のごみ処理によって処分されているが、含水量の多い生ごみはごみ処理場にとって大きな負荷である。ディスポーザによって生ごみを粉砕し、スラリ状として下水に流すことも一般的に行なわれているが、これも下水処理において負荷となっている。
特許文献１には、底部に刃回転軸を突出させたバスケット内に生ごみを投入し、バスケットおよび刃を別個に高速で回転させ、生ごみを粉砕すると同時に脱水する生ごみ処理機が記載されている。また、特許文献２には、高速回転する粉砕用ホイールと固定された粉砕用リングとによって細かく粉砕された生ごみを回転する脱水槽内に落下させ、側壁に押し付けられた生ごみをへらでかき落として排出する生ごみ処理機が記載されている。
【０００３】
これらはいずれも、投入される生ごみが水に希釈されたスラリ状であるため、脱水や乾燥に多大のエネルギーを必要とし、処理設備もそれだけ大掛かりになるという問題点がある。
【特許文献１】登録実用新案第３０６３７０２号公報
【特許文献２】特開平０７−２４２３０１号公報
【発明の開示】
【発明が解決しようとする課題】
【０００４】
本発明は、生ごみを水でうすめることなく、手軽な装置で簡単に生ごみを減量し、ごみ処理の負荷を軽減することのできる生ごみ減量装置を実現することを目的とする。
【課題を解決するための手段】
【０００５】
本発明は、生ごみを投入する投入部と、投入された生ごみを粉砕する粉砕部と、粉砕された生ごみを斜め上方向に移送する移送部と、この移送部の終端において絞り込みながら生ごみを排出する排出部とからなる生ごみ減量装置であって、望ましくは粉砕部が、略円形の開口の縁部に複数の切欠きを有する外刃と、この外刃の内側で高速回転するディスクと、このディスクに取り付けられた自由に回転するハンマとからなるものであり、また移送部が、外筒と、この外筒の内側で回転し、スパイラルリブを有する回転軸とからなるものであり、あるいは排出部が、前記移送部の終端で前記回転軸に取り付けられたコーンと、その外側にかぶせられるカップと、これらコーンとカップとの隙間をふさぐふさぎ板と、このふさぎ板を前記のコーンとカップとの隙間に向けて押し付ける押し付けばねとからなる前記の生ごみ減量装置である。
【発明の効果】
【０００６】
本発明によれば、生ごみに水を加えることなく減量を行なうことができるので、少ないエネルギーと簡易な構成によって生ごみの減量が実現するという、すぐれた効果を奏する。
【発明を実施するための最良の形態】
【０００７】
本発明においては、集められた生ごみを水でうすめることなく投入するのではじめから水分が少なく、脱水のための大掛かりな手段を必要としない。粉砕された生ごみを排出部で押し出す際に水分が絞られるので、生ごみ中の少量の繊維分のみを生乾き状態で取り出すことができ、ごみ処理の負荷が大幅に削減される。
【実施例】
【０００８】
本発明の実施例を図面により説明する。
図１は実施例の生ごみ減量装置を示す正面図、図２は同じく側面図で、１は、生ごみの投入される投入部、１１は投入ホッパ、１２は蓋、２は投入された生ごみを粉砕する粉砕部、２８は駆動用のチェーン、２９はモータ、３は粉砕された生ごみを斜め上方向に移送する移送部、３１は外筒、３４はその下部に設けられた排液口、３６は駆動用のチェーン、３５は減速モータ、４は移送部３の終端において絞り込みながら生ごみを排出する排出部、４５は脱水された生ごみが排出される排出口である。投入部の蓋１２に図１に示すような凸部を設けると蓋１２を閉じたときに中の生ごみを圧下して、自重による粉砕部への落下を助けるので好ましい。
【０００９】
図３は粉砕部２付近を示す水平断面図、図４は粉砕を行なうディスク部分の平面図で、２１は回転軸、２２はその頂部に設けられた一次刃、２５は略円形の開口の縁部に複数の切欠きを有する外刃、２３はこの外刃２５の内側で高速回転するディスク、２４はディスクに取り付けられた自由に回転するハンマ、２６はディスクの下面に取り付けられた複数枚のかき落とし羽根、２７は内容物が落下する開口を有する底板である。
【００１０】
回転軸２１およびこれに取り付けられた一次刃２２、ディスク２３はモータ２７により高速回転する。ディスク２３には対称位置に複数のハンマ２４が取り付けられている。ハンマ２４は根本の取付ボルトを中心として自由に回転（首振り）でき、先端には適宜刃が設けられている。一方、周囲の外刃２５は縁部に複数の切欠きを有し、高速回転により外側に飛び散った生ごみは外刃２５の切欠きとハンマ２４とで打撃され、粉砕される。なお、ハンマ２４が自由に回転できることにより打撃力が増すと同時に、異物をかみ込んだ際にもハンマ２４が逃げて損傷が免れる。
【００１１】
かき落とし羽根２６の下縁にはウインドワイパのようにゴムのブレードを取り付けるとよい。
図５は移送部３の一部および排出部４を示す断面図で、移送部３はスクリューコンベヤであり、３１は外筒、３２はこの外筒３１の内側で回転し、スパイラルリブ３３を有する回転軸である。
【００１２】
移送部３においては、図２に示した減速モータ３５、チェーン３６により回転軸３２がゆっくり回転し、粉砕された生ごみである内容物を斜め上方向に移送する。スパイラルリブ３３の外縁は外筒３１の内面にほぼ密着して回転するが、リブのところどころに図５に示すような切欠きが設けてあり、軸３２にも溝が設けてあり、水分はこれらを通して下方に落下する。
【００１３】
排出部４では、４１は前記移送部３の終端で前記回転軸３２に取り付けられたコーン、４２はその外側にかぶせられるカップ、４３はこれらコーン４１とカップ４２との隙間をふさぐふさぎ板、４４はこのふさぎ板４３を前記のコーン４１とカップ４２との隙間に向けて押し付ける押し付けばねである。
移送部３の筒内を上昇してきた内容物は、コーン４１とカップ４２との隙間に進入する。しかしその出口はふさぎ板４３によってふさがれているが、後から次々に内容物が送られてくるため押し付けばね４４に対抗してこれを押し開き、矢印のように隙間から排出される。この段階で最終的に水分が絞られ、繊維分が残るので、家畜の飼料として有効活用できる。コーン４１とカップ４２との隙間、コーン４１とふさぎ板４３との隙間はいずれも２ｍｍ程度である。
【００１４】
なお、処理物の付着を防止するため、装置の内面にフッ素樹脂を塗装することは有効である。
【図面の簡単な説明】
【００１５】
【図１】実施例の生ごみ減量装置を示す正面図である。
【図２】実施例の生ごみ減量装置を示す側面図である。
【図３】実施例における粉砕部付近を示す水平断面図である。
【図４】実施例における粉砕部付近を示す平面図である。
【図５】実施例における移送部の一部および排出部を示す断面図である。
【符号の説明】
【００１６】
１    投入部
２    粉砕部
３    移送部
４    排出部
１１    投入ホッパ
１２    蓋
２１、３２    回転軸
２２    一次刃
２３    ディスク
２４    ハンマ
２５    外刃
２６    かき落とし羽根
２７    底板
２８、３６    チェーン
２９    モータ
３１    外筒
３３    スパイラルリブ
３４    排液口
３５    減速モータ
４１    カップ
４２    コーン
４３    ふさぎ板
４４    押し付けばね
４５    排出口
【図１】
2007196084.tif 000003
【図２】
2007196084.tif 000004
【図３】
2007196084.tif 000005
【図４】
2007196084.tif 000006
【図５】
2007196084.tif 000007